(57)【要約】【課題】  従来の双方向自己保持型ソレノイドを備えた電気錠においては、施錠された空間から停電時に脱出するためには鍵を用いて電気錠を解錠する必要があった。【解決手段】  ラッチボルトを突出方向に付勢する付勢手段と、ラッチボルトを後退させるラッチハブ板とラッチボルトの突出状態を保持するロック板と、ロック板とリンク結合される双方向自己保持型ソレノイドと、中央に回動中心を有しており、一端部がラッチハブ板に係合すると共に、他端部がロック板に係合する解錠テコと、を備え、ラッチハブ板がラッチボルトを後退させる方向に動いたとき、ラッチハブ板が解錠テコの一端部と係合し、これによって解錠テコが回動すると解錠テコの他端部がロック板と係合して、ロック板のラッチボルトに対する保持を解除する電気錠。【選択図】  図３
2018091111.tif 000002
【特許請求の範囲】
【請求項１】
ラッチボルトを突出方向に付勢する付勢手段と、
ラッチボルトを後退させるラッチハブ板と
ラッチボルトの突出状態を保持するロック板と、
ロック板とリンク結合される双方向自己保持型ソレノイドと、
中央に回動中心を有しており、一端部がラッチハブ板に係合すると共に、他端部がロック板に係合する解錠テコと、を備え、
ラッチハブ板がラッチボルトを後退させる方向に動いたとき、ラッチハブ板が解錠テコの一端部と係合し、これによって解錠テコが回動すると解錠テコの他端部がロック板と係合して、ロック板のラッチボルトに対する保持を解除する
ことを特徴とする電気錠。
【請求項２】
前記ロック板と双方向自己保持型ソレノイドとのリンク結合に遊びが設けられてなる
ことを特徴とする請求項１に記載の電気錠。
【請求項３】
前記双方向自己保持型ソレノイドと連動し、前記リンク結合を介して前記ロック板と結合されてなるハブを備える
ことを特徴とする請求項１又は２に記載の電気錠。
【請求項４】
請求項１〜３のいずれかに記載の電気錠を備えた扉。
【発明の詳細な説明】
【技術分野】
【０００１】
本発明は、双方向自己保持型ソレノイドを備え、電気的に施錠又は解錠することが可能な電気錠に関する。
【背景技術】
【０００２】
双方向自己保持型ソレノイドを備えた電気錠は、双方向自己保持型ソレノイドのプランジャの往復動に伴って施解錠を行うことができる。双方向自己保持型ソレノイドは、ソレノイド本体内部に設けられた電磁石を構成するコイルに電流を順相又は逆相に一瞬流すことで、前記コイルの内側に挿入されてなるプランジャを瞬時に、軸方向に沿って進退方向のいずれかに駆動させることができるものである。さらに、コイルへ流す電流の切断後は、ソレノイド本体内部に設けられた永久磁石によって移動後のプランジャの状態を保持できる（以下、プランジャがソレノイド本体から進出した状態を進出状態、ソレノイド本体内部方向に退行した状態を退行状態といい、プランジャがいずれかの状態であることを進退状態という）。
【０００３】
また、双方向自己保持型ソレノイドは通電を切った際の進退状態を保持することができるという特性を備えるため、施錠した後は電気錠への通電を切断しても施錠状態を保持でき、双方向自己保持型ソレノイドを備えた電気錠は電気エネルギーを節約できる電気錠として有用であった。
【先行技術文献】
【特許文献】
【０００４】
【特許文献１】公開実用平１−８９５６５号公報
【特許文献２】特開平１１−１４４９５３号公報
【発明の概要】
【発明が解決しようとする課題】
【０００５】
しかし、従来の双方向自己保持型ソレノイドを備えた電気錠においては、施錠された空間から停電時に脱出するためには鍵を用いて電気錠を解錠する必要があった。
【課題を解決するための手段】
【０００６】
そこで、上記課題を解決する手段として本発明に係る電気錠は、ラッチボルトを突出方向に付勢する付勢手段と、ラッチボルトを後退させるラッチハブ板とラッチボルトの突出状態を保持するロック板と、ロック板とリンク結合される双方向自己保持型ソレノイドと、中央に回動中心を有しており、一端部がラッチハブ板に係合すると共に、他端部がロック板に係合する解錠テコと、を備え、ラッチハブ板がラッチボルトを後退させる方向に動いたとき、ラッチハブ板が解錠テコの一端部と係合し、これによって解錠テコが回動すると解錠テコの他端部がロック板と係合して、ロック板のラッチボルトに対する保持を解除することを特徴とする。
【０００７】
また、前記ロック板と双方向自己保持型ソレノイドとのリンク結合に遊びが設けられてなる電気錠であることが好ましい。
【０００８】
さらに、前記双方向自己保持型ソレノイドと連動し、前記リンク結合を介して前記ロック板と結合されてなるハブを備えることを特徴とする電気錠であることが好ましい。
【０００９】
さらにまた、前記いずれかの電気錠を備えた扉であることが好ましい。
【００１０】
なお、前記双方向自己保持型ソレノイドは、プランジャを手動で押し引きした場合にも、進退状態を切り替えた状態を内部の永久磁石の保持力により保持することができる。
【発明の効果】
【００１１】
本発明により、双方向自己保持型ソレノイドを備えた電気錠が施錠状態となっている場合であっても、ラッチハブ板に取り付けられた取手等を操作することで解錠することができるアンチパニック機構を備えた電気錠を実現することができる。
【００１２】
本発明によれば、停電時等の緊急時にも取手等の操作だけで開扉できる双方向自己保持型ソレノイドを備えた電気錠を備えた扉を実現することができる。
【００１３】
また、前記ロック板と双方向自己保持型ソレノイドとのリンク結合を遊びがない状態で形成することによって、解錠テコによって解錠されたロック板を双方向自己保持型ソレノイドの保持力によってラッチボルトの保持を解錠した状態で維持することができる。これにより、停電時など、双方向自己保持型ソレノイドへの通電が遮断されている状態でラッチハブ板に取り付けられた取手等によって開いた扉は、反対側からも出入り自由な状態とすることができる。
【００１４】
ロック板とリンク結合との結合に遊びを設けることにより、双方向自己保持型ソレノイドのプランジャを動作させることなく最小限の力で確実に解錠規制端部を下方規制位置から上方解放位置に切り替えることができ、解錠テコの縮小化を実現することができる。
【図面の簡単な説明】
【００１５】
【図１】電気錠１の扉２への取付状態を室外側から見た斜視図である。
【図２】扉２の前端面を示す図である。
【図３】第一の実施形態に係る電気錠１の施錠状態を扉２の室外側から示す図である。
【図４】第一の実施形態に係る電気錠１が双方向自己保持型ソレノイド１０又はハブ１０５を操作して解錠状態とした様子を示す図である。
【図５】第一に実施形態に係る電気錠１の取手４を回してアンチパニック機構２０１を作動させた様子を示す図である。
【図６】第一の実施形態に係る電気錠１の取手４を回してラッチボルト６を後退させた様子を示す図である。
【図７】第二の実施形態に係る電気錠１１０の施錠状態を扉２の室外側から示す図である。
【図８】第二の実施形態に係る電気錠１１０が双方向自己保持型ソレノイド１０又はハブ１０５を操作して解錠状態とした様子を示す図である。
【図９】第二に実施形態に係る電気錠１１０の取手４を回してアンチパニック機構２０１を作動させた様子を示す図である。
【図１０】第二の実施形態に係る電気錠１１０の取手４を回してラッチボルト６を後退させた様子を示す図である。
【図１１】施錠状態の第二の実施形態に係る電気錠１１０を戸先側から見た斜視図である。
【発明を実施するための形態】
【００１６】
以下、本発明に係る実施の形態を、図を参照しながら詳しく説明する。なお、本明細書及び図面において、実質的に同一の機能構成を有する構成要素については、同一の符号を付することにより重複説明を省略する。
【００１７】
＜第一の実施形態＞
図１は、本発明に係る双方向自己保持型ソレノイドを備えた電気錠１の一実施形態を示す図であり、電気錠１の扉２への取付状態を室外側から見た斜視図である。電気錠１は、図１に示すように、扉２の内外面に沿って扉２の先端内側部に設置可能である。なお、以下の説明においては、扉２の内外面に垂直な方向を内外方向とし、扉２の幅方向を前後方向とする。また扉２の戸先側を前側とする。
【００１８】
本実施例の電気錠１は、図３に示すように、扉２の戸先側端部に内蔵される矩形箱状の錠ケース５と、この錠ケース５に設けられ、錠ケース５の戸先側端面１３から出没可能なラッチボルト６と、このラッチボルト６を取手４の操作に応じて錠ケース５の戸先側端面１３において出没させるラッチ後退操作機構７と、ラッチボルト６を所定の突出位置に規制する施錠機構８と、この施錠機構８にリンク機構９によるリンク結合を介して接続される双方向自己保持型ソレノイド１０とを主要部に備える。
【００１９】
本実施例の電気錠１が取り付けられる扉２は、開き戸形式とされ、例えば室外側へ開く外開き扉とされる。具体的には、扉２は、扉枠（図示せず）の一側端部に、ヒンジを介して回動可能に取り付けられている。そして、扉２に設けられた取手４を操作することで、ラッチボルト６が進退して扉２の開閉を行うことができる。この取手４は、扉２の室外側と室内側の双方に設けられており、本実施例ではノブ型の取手とされる。また、本実施例の電気錠１には、扉２の室外側にシリンダー装置１２が接続され、扉２の室内側にサムターン装置（図示せず）が接続されている。
【００２０】
錠ケース５は、扉２の戸先側端部の上下方向略中央部に取り付けられる。具体的には、図３に示すように、錠ケース５の戸先側端面１３には、矩形板状のフロント裏板１４が重ね合わされる。そして、錠ケース５が扉２に埋め込まれると共に、フロント裏板１４を介して扉２の戸先側端部に取付ネジ１５で錠ケース５が扉２に固定される。そして、フロント板１６が扉２の戸先側端面に重ね合わされてネジでフロント裏板１４に固定される。
【００２１】
フロント裏板１４およびフロント板１６には、後述するラッチ頭部２６が通される貫通穴１４ａがそれぞれ形成されていると共に、トリガー頭部１２９が通される貫通穴１４ｂがそれぞれ形成されている。
また、図２（ｂ）、図３に示すように、錠ケース５のフロント裏板１４には、後述する切替部材２０４の操作部２１９が差し込まれる２つの穴２２１，２２２が左右に離隔して形成されている。各穴２２１，２２２は、上下方向に細長い穴とされる。さらに、フロント裏板１４には、錠ケース５の穴２２１，２２２に対応した位置に矩形状の開口部１９が形成されており、この開口部１９には、図２（ｃ）に示す矩形板状のカバー２０がはめ込まれてネジ２１で図２（ａ）に示すように錠ケース５に固定されている。
【００２２】
図２（ａ）に示すように、カバー２０には、上側に矩形状の貫通穴２２３，２２５が２つ、内外方向に離隔して形成されており、各貫通穴２２３，２２５の下方に矩形状の貫通穴２２４，２２６がそれぞれ形成されている。つまり、カバー２０には、上下に離隔した一対の矩形状の貫通穴（２２３，２２４）（２２５，２２６）が、内外に離隔して２つ形成されている。カバー２０の各貫通穴２２３，２２４，２２５，２２６は、切替部材２０４の操作部２１９に対応した大きさとされる。また、このカバー２０は、フロント裏板１４にフロント板１６が重ね合わされることで、外部から視認されることはない。
【００２３】
図３に示すように、ラッチボルト６は、左右方向に移動可能に錠ケース５内に設けられる。本実施例のラッチボルト６は、錠ケース５の戸先側端面１３から突出して扉枠（図示せず）の戸先側縦枠２４に設けられた受２５の受穴２５ａに突入するラッチ頭部２６と、このラッチ頭部２６に設けられる丸棒状のラッチ軸部２７と、このラッチ軸部２７が挿通されるラッチガイド板２８とを有する。
【００２４】
ラッチ頭部２６は、ブロック体とされ、その前端部は、後端に向かうに従って肉厚に傾斜する傾斜垂直面６ａが形成さる。また、ラッチ頭部２６の後端には、後側へ開口する筒状部２９が一体に形成されており、この筒状部２９にラッチ軸部２７の前端部がはめ込まれてラッチ頭部２６にラッチ軸部２７が固定されている。
【００２５】
ラッチ軸部２７は、前後方向に沿って配置され、錠ケース５の室外側壁３０に固定された支持部材３１に挿通されている。支持部材３１は、板材を屈曲して形成された後方へ開口するコ字形材とされ、その中央片３２には前後方向に貫通する貫通穴が形成されている。そして、この支持部材３１の貫通穴にラッチ軸部２７が挿通されて、ラッチ軸部２７が支持部材３１に前後方向に移動可能に保持されている。
【００２６】
ラッチガイド板２８は、板材を屈曲して形成された上方へ開口する略コ字形材とされ、その前後端片３３，３４間を架け渡すようにラッチ軸部２７が挿通されて、ラッチガイド板２８はラッチ軸部２７に固定されている。
【００２７】
ラッチガイド板２８の前端片３３は、ラッチ頭部２６の筒状部２９に当接すると共に、その上端部が筒状部２９の周側面に沿って前方へ屈曲され、さらにラッチ頭部２６の後端面に沿って上方へ屈曲されて、略Ｌ字形の段部３５が形成されている。
また、ラッチガイド板２８の後端片３４には、内側および外側へ突出して矩形状の突部３６が一体に形成されている。そして、ラッチ軸部２７にラッチガイド板２８が取り付けられた状態において、ラッチ軸部２７の後端部３８は、ラッチガイド板２８の後端片３４から後方へ延出している。このような構成のラッチ頭部２６、ラッチ軸部２７およびラッチガイド板２８は左右方向に一体に移動する。
【００２８】
また、ラッチ軸部２７にラッチガイド板２８が取り付けられた状態において、支持部材３１は、ラッチガイド板２８の前後端片３３，３４間に配置されている。さらに、ラッチ軸部２７には、コイルバネ３９が挿通されており、コイルバネ３９の前端がラッチガイド板２８の前端片３３に当接する一方、後端が支持部材３１の中央片３２に当接している。これによりラッチボルト６は、突出方向となる戸先側へ付勢されており、ラッチ頭部２６はフロント裏板１４およびフロント板１６の貫通穴１４ａを介して戸先側へ突出可能とされている。そして、図３に示すように、閉扉され施錠された状態においては、ラッチ頭部２６は扉枠に設けられた受２５に突入している。
【００２９】
ラッチボルト６は、取手４の操作により、ラッチ後退操作機構７を介して後退させられる。
【００３０】
ラッチ後退操作機構７は、室外側の取手４の操作をラッチボルト６に伝達する室外側ラッチ後退操作機構７Ａと、室内側の取手の操作をラッチボルト６に伝達する室内側ラッチ後退操作機構７Ｂとを有し、扉２の内外において一対に設けられている。室外側ラッチ後退操作機構７Ａと室内側ラッチ後退操作機構７Ｂは同様の構成であり、以下において、ラッチ後退操作機構７の動作説明を、室外側ラッチ後退操作機構７Ａを例として説明することとする。
【００３１】
図３に示すように、ラッチ後退操作機構７は、取手４の軸部がはめ込まれ、取手４の回転操作に伴い回動するラッチハブ４０と、このラッチハブ４０に回動可能に設けられるラッチハブ板４１とを有する。また、ラッチハブ板４１にはハブテコ４２がピン５４によって互いに回動可能に連結され、さらにハブテコ４２に連結されて左右方向に移動可能に設けられるスライド部材４３が設けられてなる。ハブテコ４２は、錠ケース５に対して軸回転可能に固定されており、ハブテコ４２の中心軸には巻き付けバネ５２が取り付けられてなる。巻き付けバネ５２は、ハブテコ４２の上方において錠ケース５の内面に突設された柱５２ａに後方から掛け止められ、ハブテコ４２を時計方向に付勢してなる。
【００３２】
ラッチハブ４０は、軸が内外方向に沿った円筒形状とされてなり、ラッチハブ４０の内側端部の周面に固定され、上方へ行くに従って幅狭となる指状の係合片４８を有するラッチハブ板４１が設けられてなる。また、ラッチハブ４０には、その中央部に前後方向に沿って略矩形状の貫通穴４５が形成されている。
【００３３】
図３に示すように、施錠され、取手４が回転操作されていない状態では、ラッチハブ板４１の係合片４８は、支持部材３１とラッチガイド板２８の後端片３４との間に配置されている。
【００３４】
施錠機構８は、錠ケース５の内面に立設されてなる枢軸６１に回動可能に軸支されるロック板６３を有する。枢軸６１はロック板６３の中央部においてロック板６３を軸支している。
【００３５】
ロック板６３は、板状体とされ、枢軸６１より前方部及び後方部が細長にけいせいされ、枢軸６１が設けられてなる中央部から上方に向かって突設された凸部６４が形成されてなる。また、凸部６４には内外に貫通してなる連結孔６５ａが設けられてなる。さらに、ロック板６３の枢軸６１より後側には、内外方向に突出してなる解放ピン２２８が一体に設けられている。つまり、ロック板６３には、室外側および室内側へ同軸上に突出して解放ピン２２８が設けられている。
【００３６】
枢軸６１には、ねじりバネからなるロックバネ７３が取り付けられてなる。
また、ロックバネ７３は、その前端部がロック板６３の第一ピン６８に当接し、後端部が錠ケース５の内面に突設された柱７４に当接している。これにより、ロック板６３は、枢軸６１まわりに反時計方向へ付勢されている。
【００３７】
ロック板６３は、施錠状態において、ロックバネ７３の付勢力により枢軸６１まわりに反時計方向に回動する。ロック板６３が反時計方向に回動することによりその前端部である解錠規制端部６６は図３に示すような下方規制位置に配置されると共に、ラッチボルト６の段部３５に当接することによりラッチボルト６の後退を規制している。
【００３８】
リンク機構９は、ロック板６３に連結されるラック７６と、このラック７６に連結されると共に、双方向自己保持型ソレノイド１０に設けられたプランジャ８８に連結されるテコ板７７とを有する。
【００３９】
ラック７６は、前後に長尺の略長方形状の板状体とされる。
ラック７６は、その前端部がロック板６３の外側面に沿って重なるように配置され、当該前端部からロック板６３に向かって突設された連結軸７５が形成される。連結軸７５は円形に形成された連結孔６５ａに挿通されて、ロック板６３が枢着されてなる。
【００４０】
テコ板７７は、上下方向に長尺の板状片であり、その下端片８０がラック７６によって軸支されてなると共に、上端片８１がプランジャ８８と回動可能に連結されてなる。また、テコ板７７の中央には錠ケース５に固定されてテコ板７７を前後に回動可能に軸支してなるテコ軸８３が設けられてなる。
【００４１】
プランジャ８８は、双方向自己保持型ソレノイド１０に対して前後軸方向に沿って双方向に往復動可能に挿入されている。双方向自己保持型ソレノイド１０は、図示しないリード線を介して遠隔の管理室などから通電制御できるようにされており、通電によりプランジャ８８を前後に駆動する。つまり、双方向自己保持型ソレノイド１０に通電された場合、引き込まれた退行状態のプランジャ８８は後方に引き出されて瞬時に進出し、一方で、引き出された進出状態のプランジャ８８は前方に引き込まれて瞬時に退行する。そして通電が切断されると、プランジャ８８は、その時の進退状態が維持される。
【００４２】
図４は、図３の状態から双方向自己保持型ソレノイド１０に通電され、解錠された状態を示す図である。
【００４３】
図３の状態において、双方向自己保持型ソレノイド１０に通電して作動させると、プランジャ８８が前方に向かって退行すると共にテコ板７７の上端片８１を前方に向かって回動させる。これにより、テコ板７７は、テコ軸８３まわりに反時計方向に回動して、下端片８０が後方へ回動する。テコ板７７が反時計方向に回動することで、下端片８０に連結されたラック７６が後方に移動する。
【００４４】
ラック７６が後方に移動することで、ラック７６の連結軸７５によって連結されたロック板６３がバネ７３の付勢力に対抗して枢軸６１まわりに時計方向に回動する。ロック板６３が時計方向に回動することで、解錠規制端部６６が上方へ移動して図４に示す上方解放位置に配置され、ラッチボルト６の段部３５への係止が解除されて解錠状態となる。
【００４５】
また本実施例の電気錠は、手動で解錠するための手動解錠手段１０２をさらに有している。
【００４６】
手動解錠手段１０２は、シリンダー装置１２のキーまたはサムターン装置のツマミの回転操作により回動するハブ１０５を備える。
【００４７】
ハブ１０５は、円筒形状とされ、その軸方向中央部には、径方向に突出してツバ部１０８が形成されている。このツバ部１０８の一部には、歯１０９が形成されており、本実施例では、約半周部分に歯１０９が形成されている。なお、ハブ１０５の内穴１０５ａの径方向両端部は、径方向内側へ三角形状に突出している。
【００４８】
ハブ１０５は、錠ケース５に固定された取付座１０５ｂに回動可能に保持されている。取付座１０５ｂに回動可能に保持されたハブ１０５の内穴１０５ａに室外側からシリンダー装置１２の軸部（図示せず）がはめ込まれキーの回転操作に伴ってハブ１０５が回動する。
【００４９】
ラック７６の上端縁には、ハブ１０５の歯１０９と噛み合う歯１１１が形成されてなる。ハブ１０５を回転操作すると、その回転運動が歯１０９から歯１１１に伝達され、ラック７６を前後に移動させることができる。
【００５０】
キーの回転操作によってハブ１０５を反時計方向に回動させると、ラック７６を後方に移動させることがでる。ラック７６が後方に移動することで、ラック７６の連結軸７５によって連結されたロック板６３がバネ７３の付勢力に対抗して枢軸６１まわりに時計方向に回動する。そして、ロック板６３が時計方向に回動することで、解錠規制端部６６が上方解放位置へ移動し、ラッチボルト６の段部３５への係止が解除され、図４に示すように、解錠状態となる。なお、ハブ１０５の回転運動に連動して双方向自己保持型ソレノイド１０の進退状態も切り替わる。
【００５１】
図４に示す解錠状態とすれば、取手４を回転操作することによって図６に示すようにラッチボルト６を後退させることができ、開扉することができる。
【００５２】
具体的には、取手４を時計方向に回転操作した場合、取手４の軸部がはめ込まれたラッチハブ４０と共にラッチハブ板４１が時計方向に回動し、ラッチハブ板４１の係合片４８がラッチガイド板２８の後端片３４に当接し、ラッチガイド板２８を後方へ押し込む。
【００５３】
ラッチガイド板２８が後側へ押し込まれることで、ラッチ軸部２７およびラッチ頭部２６もラッチガイド板２８と一体に、コイルバネ３９の付勢力に対抗して後側へ移動する。これにより、図６に示すように、ラッチ頭部２６が後退して受２５の受穴２５ａから抜け出し、錠ケース５内に収没される。そして、ラッチ頭部２６を収没した図６の状態で取手４を介して扉２を開く方向に引くことで、開扉することができる。
【００５４】
開扉操作後、再び扉２が完全に閉じられて取手４から手を放すと、ハブテコ４２はバネ５２の付勢力により時計方向に回動し、ハブテコ４２とピン５４で連結されたラッチハブ板４１が反時計方向に回動する。このラッチハブ板４１の動作に伴い、ラッチ頭部２６に対応した位置に受２５の受穴２５ａが配置されていることで、ラッチボルト６はコイルバネ３９の付勢力により前方へ進出し、ラッチ頭部２６が受穴２５ａに突入する。一方で、双方向自己保持型ソレノイド１０のプランジャ８８の進退状態を維持する機能により、扉２が閉じられた直後は、ロック板６３の解錠規制端部６６は上方解放位置に配置されたままの状態となる。すなわち図４の状態となる。
【００５５】
従って、閉扉された図４の状態から双方向自己保持型ソレノイド１０へ再度通電することによって、図３に示す施錠状態することができる。
【００５６】
具体的には、双方向自己保持型ソレノイド１０に通電して作動させると、プランジャ８８が後方に向かって引き出されて進出すると共にテコ板７７の上端片８１を後方に向かって回動させる。これにより、テコ板７７は、テコ軸８３まわりに時計方向に回動して、下端片８０が前方へ回動する。テコ板７７が時計方向に回動することで、下端片８０に連結されたラック７６が前方に移動する。
【００５７】
ラック７６が前方に移動することで、ラック７６の連結軸７５によって連結されたロック板６３がバネ７３の付勢力にと共に枢軸６１まわりに反時計方向に回動する。そして、ロック板６３が反時計方向に回動することで、解錠規制端部６６が下方規制位置へ移動し、ラッチボルト６の段部３５に係止され、図３に示す施錠状態となる。
【００５８】
切替機構２００は、ラッチハブ板４１と当接してロック板６３を回動させる解錠テコ２０２と、この解錠テコ２０２が回動可能に連結される中間部材２０３と、この中間部材２０３に連結され、アンチパニック機構２０１を働かせるか否かを切り替える切替部材２０４とを備える。解錠テコ２０２は、その左右方向略中央部にピン２１４が差し込まれて、中間部材２０３の下端部にピン２１４を回動中心として回動可能に保持されている。
【００５９】
解錠テコ２０２は、板状体とされ、ピン２１４を挟んで前方に向かって突出して形成されてなる他端部２０５が略矩形状とされる一方、後方に向かって突出して形成されてなる一端部２０６は、下方に向かって円弧状に膨出してなる膨出部２０７が形成されている。アンチパニック機構２０１は、ロック板６３、解放ピン２２８、解錠テコ２０２、及びラッチハブ板４１によって構成されてなる。なお、解錠テコ２０２の一端部２０６は、他端部２０５より厚肉に形成されている。また解錠テコ２０２は、その他端部２０５が、中間部材２０３の外側面に重ね合わされて取り付けられた第一補助部材２１１に当接することで、ピン２１４まわりに時計方向へ一定以上回動することがない。これにより初期状態では、図３に示すように、解錠テコ２０２は、その一端部２０６が若干下方へ傾斜した状態で中間部材２０３に保持されている。
【００６０】
中間部材２０３は、略逆「く」の字形の板状体とされ、上下方向に沿う板状の一片と、この一片の上端部から上方へ行くに従って前方へ傾斜する他片とを有する。中間部材２０３の長手方向略中央部には、扉２の室内側方向へ突出してなるピン２０９が一体に設けられている。また、中間部材２０３の上端部は、切替部材２０４とピン２１０によって回動自在に結合されてなる。
【００６１】
中間部材２０３は、その中央部のピン２０９が錠ケース５の室内側壁２１５に形成されてなる上下方向に細長い長穴２１６に回動可能に、かつ、上下動可能にはめ込まれている。室内側壁２１５は板状体とされ、室外側壁３０と平行に配置されて錠ケース５を構成している。
【００６２】
切替部材２０４は板状体とされ、その中央部の貫通穴２１７に枢軸１０１が差し込まれて錠ケース５に回動可能に保持されている。なお、切替機構２００はロック板６３を挟んで外側にも設けることができ、この場合、解放ピン２２８が外側方向にも突設させておくことで、室外側の取っ手の操作により機能するアンチパニック機構２０１を構成することもできる。
【００６３】
切替部材２０４の操作部２１９は、錠ケース５の戸先側端面１３の穴２２２に差し込まれている。そして、切替部材２０４の操作部２１９の差し込み位置を、カバー２０の上下のいずれかの穴２２５，２２６に切り替えることで、切替機構２００を上下に移動させることができる。
【００６４】
本実施例では、切替部材２０４の操作部２１９がカバー２０の上側の穴２２５に差し込まれることでアンチパニック機構２０１が働く状態となり、カバー２０の下側の穴２２６に差し込まれて位置決めされるとアンチパニック機構２０１が働かない状態となる。
【００６５】
具体的には、切替部材２０４の操作部２１９がカバー２０の上側の穴２２５に差し込まれて位置決めされた場合、切替部材２０４に連結された中間部材２０３および解錠テコ２０２は、下方位置に配置される。
【００６６】
このように下方位置に配置された解錠テコ２０２は、図３に示すように、その一端部２０６がラッチハブ板４１の係合片４８の後側に近接している。また、解錠テコ２０２の他端部２０５の直下にロック板６３の解放ピン２２８が配置されている。
【００６７】
次に、図３に示す施錠状態から、取手４を操作して開扉する動作について説明する。図５は、図３の状態から取手を操作した状態を示す図である。
【００６８】
図３に示す状態から取手４を回転操作した場合、上述したようにラッチハブ４０が回動し、これに伴ってラッチハブ板４１が回動する。取手４の操作に伴って回動するラッチハブ板４１は、その係合片４８が、ラッチガイド板２８の突部３６に当接する前に、図５に示すように、係合片４８の上端部が解錠テコ２０２の一端部２０６に当接して、解錠テコ２０２を押上げながらピン２１４まわりに反時計方向に回動させる。
【００６９】
これにより、解錠テコ２０２の他端部２０５がロック板６３の解放ピン２２８に当接しながら押下げることによって、ロック板６３がバネ７３の付勢力に対抗して枢軸６１まわりに時計方向に回動する。そして、ロック板６３が時計方向に回動することで、解錠規制端部６６の前端が上方へ移動し、ラッチボルト６の段部３５への係止が解除され、図５に示すように、解錠状態となる。
【００７０】
図６は、図５の状態からさらに取手を操作した状態を示す図である。
【００７１】
図５の状態から取手４の操作に伴ってさらにラッチハブ板４１が回動すると、ラッチハブ板４１は、解錠テコ２０２を押し上げてロック板６３を時計方向に回動させた状態で、その係合片４８がラッチガイド板２８の後端片３４に当接してラッチガイド板２８を後方へ押し込む。
【００７２】
この際、解錠テコ２０２がロック板６３を回動させて解錠状態となっていることで、ラッチボルト６は後方への移動が可能であり、ラッチハブ板４１の押し込みにより後方へ移動し、ラッチ頭部２６が受２５から抜け出て、図６に示すようにラッチボルト６が錠ケース５内に収没される。
【００７３】
図６に示すように、ラッチハブ板４１により錠ケース５内にラッチボルト６が収没された状態では、解錠テコ２０２は、ラッチハブ板４１による押し込みが解除されて自重によりピン２１４まわりに時計方向に回動して初期位置に戻っている。
【００７４】
そして、ラッチボルト６を収没した図６の状態において、取手４を介して扉２を開く方向に引くことで開扉することができる。
【００７５】
また、取手４から手を放すと、ラッチハブ板４１は反時計方向に回動して再び解錠テコ２０２に当接するが、この際、ラッチハブ板４１の係合片４８と解錠テコ２０２の膨出部２０７が当接することで、解錠テコ２０２がピン２１４まわりに反時計方向に回動して一旦はね上がることで、ラッチハブ板４１は元の位置へ戻る。
【００７６】
また、図６の状態から扉２を閉じると、上記と同様に、ラッチ頭部２６が受２５の受穴２５ａに突入する。一方で、双方向自己保持型ソレノイド１０のプランジャ８８の進退状態を維持する機能により、扉２が閉じられた直後は、ロック板６３の解錠規制端部６６は上方解放位置に配置されたままの図４と同じ状態となる。そして、閉扉された状態から双方向自己保持型ソレノイド１０へ再度通電することによって、図３に示す施錠状態することができる。
【００７７】
このように、本実施例の電気錠１は、切替機構２００によりアンチパニック機構２０１を働かせることで、施錠状態においても、双方向自己保持型ソレノイド１０に通電したり、手動で解錠したりすることなく、取手４を操作するだけで、ロック板６３によるラッチボルト６の係止が解除され、かつ、ラッチボルト６を後退させて解錠と開扉をワンタッチ操作で行うことが可能となる。
【００７８】
一方、停電時等、双方向自己保持型ソレノイド１０へ電気を通電させることができない非常時においては、解錠テコ２０２による押し下げによって時計方向に回動したロック板６３は、リンク機構９によるリンク結合を介してプランジャ８８を前方へ引き込んで退行させる。双方向自己保持型ソレノイド１０は、プランジャ８８を退行状態で保持するため、ロック板６３は解錠状態のまま保持される。これにより、本実施の形態においては、一旦アンチパニック機構２０１によって解錠状態とすれば、その後もロック板６３は解錠状態を保持するため、扉２の内側からの脱出を容易にすることができる。さらに、停電時にはロック板６３が解錠状態を保持することによって、外側の取手にアンチパニック機構２０１が備わっていなくても、一旦室内側からアンチパニック機構２０１によって解錠状態とすれば内外のいずれからでも扉２を自由に開くことができる状態とすることができる。
【００７９】
＜第二の実施形態＞
第二の実施形態では、図７に示すように、ロック板６３に形成されてなる連結孔６５ａは前後方向に延在する長孔に形成されてなる。この場合、解錠規制端部６６が下方規制位置にある場合に、前記連結軸７５は前記連結孔６５ａの後端側に偏在して前記連結孔６５ａの前端側に遊び６５ｂが形成されてなる。本実施形態においても、図８に示すように、双方向自己保持型ソレノイド１０を退行状態とする、若しくはハブ１０５を反時計回りに回動操作することで、リンク機構９を介して電気錠１１０を解錠状態とすることができる。
【００８０】
本実施の形態によれば、前記アンチパニック機構２０１が作動してロック板６３が時計方向に回動しても、図９に示すように、連結軸７５の連結孔６５ａに対する位置の変化が、遊び６５ｂの範囲内である。これにより、解錠テコ２０２による押し下げによるロック板６３の回動は、ラック７６の移動を伴わず、前記プランジャ８８の進退状態をアンチパニック機構２０１の動作前後で保持したままとなる。従って、リンク機構９の状態を変化させずにロック板６３を施錠状態から解錠状態に変化させることでき、第一の実施形態の場合よりも小さな力でアンチパニック機構２０１を作動させることができる。特に、プランジャ８８の進退状態を変化させないため、プランジャ８８の移動にかかる抵抗によって解錠規制端部６６の下方規制位置から上方解放位置への以上が不十分となり電気錠１１０が解錠状態にできなくなるおそれを解消することができる。
【００８１】
さらに取手４を回すことによって、図１０に示すラッチハブ板４１により錠ケース５内にラッチボルト６が収没された状態では、解錠テコ２０２は、ラッチハブ板４１による押し込みが解除されて自重によりピン２１４まわりに時計方向に回動して初期位置に戻っている。これにより、解放ピン２２８への押し込みも解除され、ロック板６３及び解錠規制端部６６は枢軸６１まわりに反時計方向に回動する。この際、ラッチボルト６が錠ケース５内に収没されていることで、解錠規制端部６６は、ラッチ頭部２６の上面に当接する。
【００８２】
本実施の形態においてアンチパニック機構２０１を作動させて解錠し、ラッチボルト６を後退させて開扉した後、再び閉扉してラッチボルト６を錠ケース５から突出させると、ロック板６３はロックバネ７３の付勢力により解錠規制端部６６を下方規制位置に戻すため、電気錠１１０は図７の施錠状態に戻る。図１１には、図７の施錠状態の電気錠１１０を戸先側からみた斜視図を示す。
【符号の説明】
【００８３】
１、１１０  電気錠
５  錠ケース
６  ラッチボルト
４１  ラッチハブ板
４８  係合片
６１  枢軸
６３  ロック板
６５ａ  連結孔
６５ｂ  遊び
７５  連結軸
７６  ラック
７７  テコ板
８８  プランジャ
１０５  ハブ
２０２  解錠テコ
２１４  ピン
２２８  解放ピン
【図１】
2018091111.tif 000003
【図２】
2018091111.tif 000004
【図３】
2018091111.tif 000005
【図４】
2018091111.tif 000006
【図５】
2018091111.tif 000007
【図６】
2018091111.tif 000008
【図７】
2018091111.tif 000009
【図８】
2018091111.tif 000010
【図９】
2018091111.tif 000011
【図１０】
2018091111.tif 000012
【図１１】
2018091111.tif 000013